【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
充放電可能な複数の電池パック（１１〜１３）が並列接続された２次電池（１０）の温度を調整する電池温調装置であって、
前記複数の電池パックそれぞれに独立して熱媒体を供給する熱媒体供給部（３０、４０、４２ａ〜４２ｃ、４８〜５１、５３〜５５）と、
前記複数の電池パックの電池状態に基づき優先して温度調整すべき電池パック（１１）を特定の電池パックと定義すると共に、前記特定の電池パックに対する前記熱媒体の供給比率を、他の電池パック（１２、１３）よりも増加させるため前記熱媒体供給部を制御する温度調整制御を行う制御装置（７０）と、
を含み、
前記特定の電池パックは、前記複数の電池パックの各温度及び各熱容量に基づいて、前記複数の電池パックを構成する複数の電池セル（１４）の各セル温度のうち所定温度に対する温度差が最大のセル温度が前記所定温度に到達するまでに必要な投入熱量が最小となる電池パックである電池温調装置。
【請求項２】
充放電可能な複数の電池パック（１１〜１３）が並列接続された２次電池（１０）の温度を調整する電池温調装置であって、
前記複数の電池パックそれぞれに独立して熱媒体を供給する熱媒体供給部（３０、４０、４２ａ〜４２ｃ、４８〜５１、５３〜５５）と、
前記複数の電池パックの電池状態に基づき優先して温度調整すべき電池パック（１１）を特定の電池パックと定義すると共に、前記特定の電池パックに対する前記熱媒体の供給比率を、他の電池パック（１２、１３）よりも増加させるため前記熱媒体供給部を制御する温度調整制御を行う制御装置（７０）と、
を含み、
前記制御装置は、前記複数の電池パックが所定温度に到達していない状態において、前記特定の電池パックが前記所定温度を超えるまで、前記熱媒体供給部を制御して、前記特定の電池パックに優先的に前記熱媒体を供給し、
前記制御装置は、前記特定の電池パックが前記所定温度に到達した後、前記熱媒体供給部を制御して、前記特定の電池パックに対する前記熱媒体の供給比率を前記他の電池パックよりも相対的に低減させる電池温調装置。
【請求項３】
前記複数の電池パックは、それぞれが独立して通電または遮断が可能に構成され、
前記２次電池は、前記複数の電池パックの各電圧を同一の電圧に調整する昇圧回路（１９）を含み、
前記制御装置は、前記特定の電池パックを通電する一方、前記他の電池パックを遮断し、前記特定の電池パックの温度調整後に前記他の電池パックを通電する請求項２に記載の電池温調装置。
【請求項４】
前記特定の電池パックは、前記複数の電池パックが所定温度に到達していない状態において、前記複数の電池パックのうち前記所定温度に対する温度差が最も大きい電池パックである請求項２または３に記載の電池温調装置。
【請求項５】
前記特定の電池パックは、前記複数の電池パックの各温度及び各熱容量に基づいて、前記複数の電池パックを構成する複数の電池セル（１４）の各セル温度のうち前記所定温度に対する温度差が最大のセル温度が前記所定温度に到達するまでに必要な投入熱量が最小となる電池パックである請求項２または３に記載の電池温調装置。
【請求項６】
前記特定の電池パックは、前記他の電池パックよりも相対的に出力性能が高い電池セル（１４）を含んでいる請求項２または３に記載の電池温調装置。
【請求項７】
前記特定の電池パックは、前記他の電池パックよりも相対的に熱交換性能が高い電池パックである請求項２または３に記載の電池温調装置。
【請求項８】
前記特定の電池パックは、前記他の電池パックよりも相対的に断熱性能及び蓄熱性能のうちのいずれか一方または両方が高い電池パックである請求項２または３に記載の電池温調装置。
【請求項９】
前記特定の電池パックは、前記他の電池パックよりも相対的に熱容量が小さい電池パックである請求項２または３に記載の電池温調装置。
【請求項１０】
前記特定の電池パックは、前記複数の電池パックのうち最も劣化状態が低い電池パックである請求項２または３に記載の電池温調装置。
【手続補正２】
【補正対象書類名】明細書
【補正対象項目名】発明の名称
【補正方法】変更
【補正の内容】
【発明の名称】電池温調装置
【手続補正３】
【補正対象書類名】明細書
【補正対象項目名】０００９
【補正方法】変更
【補正の内容】
【０００９】
本発明は上記点に鑑み、複数の電池パックの少なくとも一部を短時間で冷却あるいは加熱することができる電池温調装置を提供することを目的とする。
【手続補正４】
【補正対象書類名】明細書
【補正対象項目名】００１０
【補正方法】変更
【補正の内容】
【００１０】
上記目的を達成するため、請求項１、２に記載の発明では、充放電可能な複数の電池パック（１１〜１３）が並列接続された２次電池（１０）の温度を調整する電池温調装置であって、複数の電池パックそれぞれに独立して熱媒体を供給する熱媒体供給部（３０、４０、４２ａ〜４２ｃ、４８〜５１、５３〜５５）を含む。
【手続補正５】
【補正対象書類名】明細書
【補正対象項目名】００１１
【補正方法】変更
【補正の内容】
【００１１】
また、電池温調装置は、複数の電池パックの電池状態に基づき優先して温度調整すべき電池パック（１１）を特定の電池パックと定義すると共に、特定の電池パックに対する熱媒体の供給比率を、他の電池パック（１２、１３）よりも増加させるため熱媒体供給部を制御する温度調整制御を行う制御装置（７０）を含む。
【手続補正６】
【補正対象書類名】明細書
【補正対象項目名】００１２
【補正方法】変更
【補正の内容】
【００１２】
そして、請求項１に記載の発明では、特定の電池パックは、複数の電池パックの各温度及び各熱容量に基づいて、複数の電池パックを構成する複数の電池セル（１４）の各セル温度のうち所定温度に対する温度差が最大のセル温度が所定温度に到達するまでに必要な投入熱量が最小となる電池パックである。
また、請求項２に記載の発明では、制御装置は、複数の電池パックが所定温度に到達していない状態において、特定の電池パックが所定温度を超えるまで、熱媒体供給部を制御して、特定の電池パックに優先的に熱媒体を供給する。制御装置は、特定の電池パックが所定温度に到達した後、熱媒体供給部を制御して、特定の電池パックに対する熱媒体の供給比率を他の電池パックよりも相対的に低減させる。
【手続補正７】
【補正対象書類名】明細書
【補正対象項目名】００７９
【補正方法】変更
【補正の内容】
【００７９】
次に、電池温調装置１の空調制御について説明する。冷凍サイクル装置２０の低圧冷媒が室内蒸発器２５を流れるので、車室内へ送風される空気が室内蒸発器２５で冷却される。
【手続補正８】
【補正対象書類名】明細書
【補正対象項目名】００８０
【補正方法】変更
【補正の内容】
【００８０】
また、冷凍サイクル装置２０の高圧冷媒が高温側水−冷媒熱交換器２２を流れるので、高温冷却水回路３０の冷却水が高温側水−冷媒熱交換器２２で加熱される。高温側水−冷媒熱交換器２２で加熱された高温冷却水回路３０の冷却水が高温側ヒータコア３５を流れるので、車室内へ送風される空気が高温側ヒータコア３５で加熱される。
【手続補正９】
【補正対象書類名】明細書
【補正対象項目名】００８８
【補正方法】変更
【補正の内容】
【００８８】
ステップＳ１０１では、各電池パック１１〜１３の各電池セル１４の温度のうち最低電池温度が所定値よりも小さいか否かが判定される。所定値は、例えば０℃である。最低電池温度が所定値よりも小さい場合、ステップＳ１０２に進む。
【手続補正１０】
【補正対象書類名】明細書
【補正対象項目名】０１４１
【補正方法】変更
【補正の内容】
【０１４１】
このような構成によると、制御装置７０は、第１優先の第１電池パック１１を通電する一方、他の電池パック１２、１３の電気的接続を遮断することができる。例えば、制御装置７０は、第１電池パック１１の充放電を繰り返すリップル昇温の方法を用いて第１電池パック１１を加熱することができる。電流による自己発熱と冷却水とによって第１優先の第１電池パック１１を加熱することができるので、車両始動に必要な電力を早期に確保することができる。
【手続補正１１】
【補正対象書類名】明細書
【補正対象項目名】０１４９
【補正方法】変更
【補正の内容】
【０１４９】
また、上記実施形態の冷凍サイクル装置２０は、高圧冷媒圧力が冷媒の臨界圧力を超えない亜臨界冷凍サイクルを構成しているが、高圧冷媒圧力が冷媒の臨界圧力を超える超臨界冷凍サイクルを構成していても良い。